(57)【特許請求の範囲】
【請求項１】
外部の所定の機器との間で信号の伝送を行う信号伝送装置であって、
一対の伝送線が接続される第１の信号線（Ｌ１）及び第２の信号線（Ｌ２）と、
前記両信号線（Ｌ１，Ｌ２）のいずれか一方の信号線に反転せずに接続されるとともに他方の信号線に反転して信号の送受信を行う送受信手段（１５）と、
前記第１の信号線（Ｌ１）及び前記第２の信号線（Ｌ２）の前記送受信手段（１５）に対する反転及び非反転の関係を相互に切換える信号切換スイッチ（１４）と、
前記送受信ブロック（１５）の送受信動作の指示を与えるとともに、前記送受信ブロック（１５）で受信した受信信号に基づいて前記信号切換スイッチ（１４）の接続切換を指示する制御部（１１）と
を備え、
前記受信信号が有振幅のビットを含む場合に、当該受信信号の所定の単位内において前記有振幅のビットを示すパルス波形が正負交互のタイミングで現れるように設定され、
前記制御部（１１）は、外部から前記伝送線を通じて前記第１の信号線（Ｌ１）及び第２の信号線（Ｌ２）に前記受信信号が与えられたときに、前記信号切換スイッチ（１４）により反転せずに接続されている側の前記一方の信号線へ、有振幅のビットを含み且つ前記受信信号と同一の単位内に前記有振幅のビットを示すパルス波形が正負交互のタイミングで現れるよう設定された任意の送信信号を、前記受信信号の各単位の受信に対応するタイミングで与え、反転せずに接続されている側の前記一方の信号線の信号と反転して接続されている前記他方の信号線の信号とを重畳して合成パターンとし、当該合成パターン中のビットのなかに相殺されたビットが有る場合に前記信号切換スイッチ（１４）に前記第１の信号線（Ｌ１）及び前記第２の信号線（Ｌ２）の前記送受信手段（１５）に対する反転及び非反転の関係を相互に変更切換えするよう指示する機能を有することを特徴とする信号伝送装置。
【請求項２】
請求項１に記載の信号伝送装置であって、
前記第１の信号線（Ｌ１）の電位と前記第２の信号線（Ｌ２）の電位の高低を比較して両信号線（Ｌ１，Ｌ２）の極性を検出する極性検出回路（１０）をさらに備え、
前記制御部（１１）は、前記極性検出回路（１０）での検出結果に基づいて前記信号切換スイッチ（１４）を切換制御する機能をさらに有することを特徴とする信号伝送装置。
【請求項３】
請求項２に記載の信号伝送装置であって、
前記制御部（１１）は、
前記極性検出回路（１０）での検出結果に基づいて前記信号切換スイッチ（１４）の極性を判定する極性判定手段（２１）と、
前記任意の送信信号を前記送受信ブロック（１５）を通じて反転せずに接続された側の前記一方の信号線に前記送信信号を出力するよう前記送受信ブロック（１５）に指示する信号出力指示手段（２２）と、
前記信号出力指示手段（２２）で前記任意の送信信号を出力したときの前記合成パターン中の各ビットの振幅値を検出し、この検出結果に基づいて当該各ビットのなかに相殺されたビットが有るかどうかを検出する振幅レベル検出手段（２３）と、
前記極性判定手段（２１）での判定結果に従って前記信号切換スイッチ（１４）を切換制御するとともに、前記振幅レベル検出手段（２３）において上記合成パターン中に相殺されたビットが有る場合に前記信号切換スイッチ（１４）の前記第１の信号線（Ｌ１）及び前記第２の信号線（Ｌ２）に対する反転及び非反転の関係を相互に変更切換えするよう指示を与える切換制御手段２４と
を有せしめられたことを特徴とする信号伝送装置。
【請求項４】
請求項１に記載の信号伝送装置であって、前記信号伝送装置は、空気調和機の室内機に設けられ、当該空気調和機の操作を遠隔操作する操作部との間の信号伝送に用いられることを特徴とする信号伝送装置。
【請求項５】
請求項１に記載の信号伝送装置であって、前記信号伝送装置は、空気調和機の室内機に設けられ、当該空気調和機の室外機との間の信号伝送に用いられることを特徴とする信号伝送装置。
【請求項６】
請求項１に記載の信号伝送装置であって、前記信号伝送装置は、空気調和機の室外機に設けられ、当該空気調和機の室内機との間の信号伝送に用いられることを特徴とする信号伝送装置。
【請求項７】
所定の単位内において有振幅のビットが存在する場合に当該有振幅のビットを示すパルス波形が正負交互のタイミングで現れるように設定された受信信号が、外部から伝送線を通じて第１の信号線（Ｌ１）及び第２の信号線（Ｌ２）に与えられたときに、前記第１の信号線（Ｌ１）の電位と前記第２の信号線（Ｌ２）の電位の高低を所定の極性検出回路（１０）で比較して両信号線（Ｌ１，Ｌ２）の極性を検出し、検出された極性に応じて信号切換スイッチ（１４）を切換駆動して、前記第１の信号線（Ｌ１）及び前記第２の信号線（Ｌ２）の前記送受信手段（１５）に対する反転及び非反転の関係を相互に変更切換えする第１の工程と、
外部から伝送線を通じて第１の信号線（Ｌ１）及び第２の信号線（Ｌ２）に受信信号が与えられたときに、信号切換スイッチ（１４）により反転せずに接続されている側の一方の信号線へ、有振幅のビットを含み且つ前記受信信号と同一の単位内に前記有振幅のビットを示すパルス波形が正負交互のタイミングで現れるよう設定された任意の送信信号を、前記受信信号の各単位の受信に対応するタイミングで与える第２の工程と、
前記第２の工程と並行して、反転せずに接続されている側の前記一方の信号線の信号と反転して接続されている他方の信号線の信号とを重畳して合成パターンとし、当該合成パターンの各ビットの振幅値を認識する第３の工程と、
前記合成パターンの各ビットの振幅値を認識した結果に基づいて、前記合成パターン中のビットのなかに相殺されたビットがあるか否かを検出し、相殺されたビットがなかった場合に、前記信号切換スイッチ（１４）の前記第１の信号線（Ｌ１）及び前記第２の信号線（Ｌ２）の送受信手段（１５）に対する反転及び非反転の関係を維持する一方、前記合成パターン中のビットのなかに相殺されたビットが有る場合に、前記信号切換スイッチ（１４）に前記第１の信号線（Ｌ１）及び前記第２の信号線（Ｌ２）の前記送受信手段（１５）に対する反転及び非反転の関係を相互に変更切換えする第４の工程と
を備えることを特徴とする信号伝送方法。
【発明の詳細な説明】
【０００１】
【発明の属する技術分野】
この発明は、少なくとも２以上の制御ユニットの間で信号伝送を行う信号伝送装置に関し、特に信号の無極化を行う信号伝送装置に係る。
【０００２】
【従来の技術】
従来より、例えば空気調和装置において、リモートコントロール器（以下「リモコン」と略称する）、室内機及び室外機の間の信号伝送方式に２本の信号線を用いた平衡通信方式が採用されているものがある（特開平５−２２７５６８号公報等）。
【０００３】
この空気調和機において、２本の信号線のそれぞれには互いに逆の極性が割り当てられる。そして、プラグ接続時の誤接続等によって極性を正逆反対に接続してしまうことがしばしばあるため、このような正逆反対の接続を許容した上で、通信時に受信側の信号伝送装置において極性判定を行い、自動的に送受信ポートの極性切換を行い正しく通信する。
【０００４】
図１０は、従来の信号伝送装置の例を示すブロック図である。この信号伝送装置では、信号線１，２に、所定の直流電圧を印加する整流ブロック３を接続し、信号線１，２と送受信ブロック４との間には、伝送信号を反転切り換えする信号切換スイッチ５を設けている。また、正側の信号線１の電位が負側の信号線２の電位より低い場合にのみ異極信号を出力する極性判定回路６を設けている。そして、極性判定回路６が異極信号を出力すると、マイクロコンピュータ（以下「マイコン」と略称する）７内の切換制御部８からの切換信号に従って、信号切換スイッチ５が伝送信号を反転切換を行うようになっている。
【０００５】
ここで、上記極性判定回路６は、両信号線１，２の間に接続された一対の発光ダイオードＰＨＤ１，ＰＨＤ２と、各発光ダイオードＰＨＤ１，ＰＨＤ２からの光をそれぞれ受信して受信結果をマイコン７に伝達する一対のフォトトランジスタＰＨＴ１，ＰＨＴ２とより構成されている。第１の発光ダイオードＰＨＤ１は、信号線１の電位が信号線２の電位より高い場合に発光し、逆に第２の発光ダイオードＰＨＤ２は、信号線２の電位が信号線１の電位より高い場合に発光するようになっている。
【０００６】
したがって、送受信ポートＰ，Ｎを通じて信号線１，２に伝送信号が入力された際に、これに基づいて両発光ダイオードＰＨＤ１，ＰＨＤ２のいずれかが発光し、その発光状態を各フォトトランジスタＰＨＴ１，ＰＨＴ２を通じてマイコン７で検出し、その検出結果に基づいて切換制御部８で信号切換スイッチ５のポート切換を行うことで、送受信ブロック４には正しい極性の信号を入出力させていた。
【０００７】
【発明が解決しようとする課題】
従来の信号伝送装置では、極性判定回路６の発光ダイオードＰＨＤ１，ＰＨＤ２及びフォトトランジスタＰＨＴ１，ＰＨＴ２が故障した場合においては、これらの部品ＰＨＤ１，ＰＨＤ，ＰＨＴ１，ＰＨＴ２を交換しない限り、２本の信号線１，２の極性判定を行うことができなかった。
【０００８】
この場合、信号切換スイッチ５の状態は、極性判定回路６内の部品が故障する以前の状態に保持される。したがって、極性判定回路６の故障後に信号線１，２の極性が正逆反対に入れ換えて接続された場合、このことを検知できずに信号切換スイッチ５が過去の状態に保持されたままになるため、正しい極性での信号伝送を行うことができず、リモートコントロール器（以下「リモコン」と略称する）、室内機及び室外機の間の相互の信号伝送が正しく行われないことになる。
【０００９】
そこで、この発明の課題は、極性判定回路の故障時においても送受信ポートの極性認識を正しく行って信号切換スイッチの自動切換を行うことの可能な信号伝送装置を提供することにある。
【００１０】
【課題を解決するための手段】
上記課題を解決すべく、請求項１に記載の発明は、外部の所定の機器との間で信号の伝送を行う信号伝送装置であって、一対の伝送線が接続される第１の信号線（Ｌ１）及び第２の信号線（Ｌ２）と、前記両信号線（Ｌ１，Ｌ２）のいずれか一方の信号線に反転せずに接続されるとともに他方の信号線に反転して信号の送受信を行う送受信手段（１５）と、前記第１の信号線（Ｌ１）及び前記第２の信号線（Ｌ２）の前記送受信手段（１５）に対する反転及び非反転の関係を相互に切換える信号切換スイッチ（１４）と、前記送受信ブロック（１５）の送受信動作の指示を与えるとともに、前記送受信ブロック（１５）で受信した受信信号に基づいて前記信号切換スイッチ（１４）の接続切換を指示する制御部（１１）とを備え、前記受信信号が有振幅のビットを含む場合に、当該受信信号の所定の単位内において前記有振幅のビットを示すパルス波形が正負交互のタイミングで現れるように設定され、前記制御部（１１）は、外部から前記伝送線を通じて前記第１の信号線（Ｌ１）及び第２の信号線（Ｌ２）に前記受信信号が与えられたときに、前記信号切換スイッチ（１４）により反転せずに接続されている側の前記一方の信号線へ、有振幅のビットを含み且つ前記受信信号と同一の単位内に前記有振幅のビットを示すパルス波形が正負交互のタイミングで現れるよう設定された任意の送信信号を、前記受信信号の各単位の受信に対応するタイミングで与え、反転せずに接続されている側の前記一方の信号線の信号と反転して接続されている前記他方の信号線の信号とを重畳して合成パターンとし、当該合成パターン中のビットのなかに相殺されたビットが有る場合に前記信号切換スイッチ（１４）に前記第１の信号線（Ｌ１）及び前記第２の信号線（Ｌ２）の前記送受信手段（１５）に対する反転及び非反転の関係を相互に変更切換えするよう指示するものである。
【００１１】
請求項２に記載の発明は、前記第１の信号線（Ｌ１）の電位と前記第２の信号線（Ｌ２）の電位の高低を比較して両信号線（Ｌ１，Ｌ２）の極性を検出する極性検出回路（１０）をさらに備え、前記制御部（１１）は、前記極性検出回路（１０）での検出結果に基づいて前記信号切換スイッチ（１４）を切換制御する機能をさらに有するものである。
【００１２】
請求項３に記載の発明は、前記制御部（１１）は、前記極性検出回路（１０）での検出結果に基づいて前記信号切換スイッチ（１４）の極性を判定する極性判定手段（２１）と、前記任意の送信信号を前記送受信ブロック（１５）を通じて反転せずに接続された側の前記一方の信号線に前記送信信号を出力するよう前記送受信ブロック（１５）に指示する信号出力指示手段（２２）と、前記信号出力指示手段（２２）で前記任意の送信信号を出力したときの前記合成パターン中の各ビットの振幅値を検出し、この検出結果に基づいて当該各ビットのなかに相殺されたビットが有るかどうかを検出する振幅レベル検出手段（２３）と、前記極性判定手段（２１）での判定結果に従って前記信号切換スイッチ（１４）を切換制御するとともに、前記振幅レベル検出手段（２３）において上記合成パターン中に相殺されたビットが有る場合に前記信号切換スイッチ（１４）の前記第１の信号線（Ｌ１）及び前記第２の信号線（Ｌ２）に対する反転及び非反転の関係を相互に変更切換えするよう指示を与える切換制御手段２４とを有せしめられたものである。
【００１３】
請求項４に記載の発明は、前記信号伝送装置が、空気調和機の室内機に設けられ、当該空気調和機の操作を遠隔操作する操作部との間の信号伝送に用いられるものである。
【００１４】
請求項５に記載の発明は、前記信号伝送装置が、空気調和機の室内機に設けられ、当該空気調和機の室外機との間の信号伝送に用いられるものである。
【００１５】
請求項６に記載の発明は、前記信号伝送装置が、空気調和機の室外機に設けられ、当該空気調和機の室内機との間の信号伝送に用いられるものである。
【００１６】
請求項７に記載の発明は、所定の単位内において有振幅のビットが存在する場合に当該有振幅のビットを示すパルス波形が正負交互のタイミングで現れるように設定された受信信号が、外部から伝送線を通じて第１の信号線（Ｌ１）及び第２の信号線（Ｌ２）に与えられたときに、前記第１の信号線（Ｌ１）の電位と前記第２の信号線（Ｌ２）の電位の高低を所定の極性検出回路（１０）で比較して両信号線（Ｌ１，Ｌ２）の極性を検出し、検出された極性に応じて信号切換スイッチ（１４）を切換駆動して、前記第１の信号線（Ｌ１）及び前記第２の信号線（Ｌ２）の前記送受信手段（１５）に対する反転及び非反転の関係を相互に変更切換えする第１の工程と、外部から伝送線を通じて第１の信号線（Ｌ１）及び第２の信号線（Ｌ２）に受信信号が与えられたときに、信号切換スイッチ（１４）により反転せずに接続されている側の一方の信号線へ、有振幅のビットを含み且つ前記受信信号と同一の単位内に前記有振幅のビットを示すパルス波形が正負交互のタイミングで現れるよう設定された任意の送信信号を、前記受信信号の各単位の受信に対応するタイミングで与える第２の工程と、前記第２の工程と並行して、反転せずに接続されている側の前記一方の信号線の信号と反転して接続されている他方の信号線の信号とを重畳して合成パターンとし、当該合成パターンの各ビットの振幅値を認識する第３の工程と、前記合成パターンの各ビットの振幅値を認識した結果に基づいて、前記合成パターン中のビットのなかに相殺されたビットがあるか否かを検出し、相殺されたビットがなかった場合に、前記信号切換スイッチ（１４）の前記第１の信号線（Ｌ１）及び前記第２の信号線（Ｌ２）の送受信手段（１５）に対する反転及び非反転の関係を維持する一方、前記合成パターン中のビットのなかに相殺されたビットが有る場合に、前記信号切換スイッチ（１４）に前記第１の信号線（Ｌ１）及び前記第２の信号線（Ｌ２）の前記送受信手段（１５）に対する反転及び非反転の関係を相互に変更切換えする第４の工程とを備えるものである。
【００１７】
【作用】
上記課題を解決すべく、請求項１乃至請求項７に記載の発明では、例えば、まず、原則として、受信信号が有振幅のビットを含む場合に、当該受信信号の所定の単位内において前記有振幅のビットを示すパルス波形が正負交互のタイミングで現れるようにし、外部から伝送線を通じて第１の信号線（Ｌ１）及び第２の信号線（Ｌ２）に受信信号が与えられたときに、第１の信号線（Ｌ１）の電位と第２の信号線（Ｌ２）の電位の高低を所定の極性検出回路（１０）で比較して両信号線（Ｌ１，Ｌ２）の極性を検出し、検出された極性に応じて信号切換スイッチ（１４）を切換駆動して、第１の信号線（Ｌ１）及び第２の信号線（Ｌ２）の送受信手段（１５）に対する反転及び非反転の関係を相互に変更切換えする。
【００１８】
ただし、極性検出回路（１０）が正常に動作する場合は、異常の動作で極性を十分に判定できるが、極性検出回路（１０）が故障している場合もあり得るため、次いで、外部から伝送線を通じて第１の信号線（Ｌ１）及び第２の信号線（Ｌ２）のいずれかに受信信号が与えられたときに、信号切換スイッチ（１４）により反転せずに接続されている側の一方の信号線へ、有振幅のビットを含み且つ前記受信信号と同一の単位内に前記有振幅のビットを示すパルス波形が正負交互のタイミングで現れるよう設定された任意の送信信号を、前記受信信号の各単位の受信に対応するタイミングで非反転で（反転せずに）与える。また、これと並行して、反転せずに接続されている側の一方の信号線の信号と反転接続されている他方の信号線の信号とを重畳して合成パターンとし、当該合成パターンの各ビットの振幅値を認識する。そして、合成パターンの各ビットの振幅値を認識した結果に基づいて、合成パターン中のビットのなかに相殺されたビットがあるかどうかを検出する。相殺されたビットがない場合には、信号切換スイッチ（１４）の第１の信号線（Ｌ１）及び第２の信号線（Ｌ２）の送受信手段（１５）に対する反転及び非反転の関係を維持する。一方、合成パターン中のビットのなかに相殺されたビットが有る場合には、信号切換スイッチ（１４）に第１の信号線（Ｌ１）及び第２の信号線（Ｌ２）の送受信手段（１５）に対する反転及び非反転の関係を相互に変更切換えする。これにより、極性検出回路（１０）が故障しても、支障無く極性判定を行うことができ、これにしたがって信号切換スイッチ（１４）の切換を容易に行うことができる。
【００１９】
かかる発明は、請求項４乃至請求項６のように、空気調和機の室内機、室外機及び遠隔操作のための操作部との間の伝送に有効である。
【００２０】
【発明の実施の形態】
＜信号伝送装置の構成＞
図１はこの発明の一の実施の形態に係る信号伝送装置を示す図である。この信号伝送装置は、例えば空気調和装置の室内機において設置され、送受信ポートＰ，Ｎに２本の図示しない伝送線が接続されて例えばリモコンとの相互間の信号伝送を行う。そして、この信号伝送装置は、外部から送受信ポートＰ，Ｎを通じて信号線Ｌ１，Ｌ２に受信信号が与えられたときにその極性判定を行う極性検出回路１０を設けるとともに、この極性検出回路１０の故障時において補助的に極性判定を行う目的で、極性検出回路１０と別にマイコン１１内に補助極性判定手段１１ａを設けたものである。以下、この信号伝送装置を詳述する。
【００２１】
この信号伝送装置は、平衡通信の信号が与えられる信号線Ｌ１，Ｌ２と送受信ブロック１５との間の接続を反転切り換えする信号切換スイッチ１４が設けられ、この信号切換スイッチ１４の切換は、マイコン１１からの切換信号により切り換えられる。
【００２２】
信号線Ｌ１，Ｌ２を外部と接続するための受信ポートＰ，Ｎは、その形状が対称で、互いに区別が付かない従来のものと同一のものを採用することができる。ここで、第１の信号線Ｌ１は、原則として図３に示された正極の伝送信号Ｐ１のようなパルス波を送受信するための信号線であるのに対し、第２の信号線Ｌ２は原則として図３に示された伝送信号Ｐ２のような接地用の無パルス電圧に維持するための信号線である。
【００２３】
具体的には、伝送信号Ｐ１は、リモコンに対する電源供給のための約１６Ｖの基準電位Ｖａｖを中心として正負約５Ｖの振幅を有する無極性パルス波である。この伝送信号Ｐ１は「０」値と「１」値の二値信号からなり、「０」値のときに基準電位Ｖａｖを基準に約５Ｖの振幅を有し、「１」値のときに基準電位Ｖａｖ（即ち、振幅無し）に維持される。
【００２４】
なお、当該伝送信号Ｐ１は１バイト（８ビット）を１単位として伝送され、この１単位内においては、送受信ブロック１５からの送信信号及び外部からの受信信号ともに、「０」値を示すパルス波形は正負交互に現れることとなる。そして、奇数番目に「０」値が存在する場合のパルスは正方向であり、偶数番目に「０」値が存在する場合のパルスは負方向である。即ち、例えばこの１単位のデータが「０，０，０，０，０，０，０，０」である場合は、図２（Ａ）のように「正，負，正，負，正，負，正，負」といった全てのビットに振幅を有する波形が得られ、また例えば１単位のデータが「１，０，０，１，１，０，０，１」の場合は、図２（Ｂ）のように「振幅無し，負，正，振幅無し，振幅無し，負，正，振幅無し」といった波形が得られ、さらに例えば１単位のデータが「１，１，１，１，１，１，１，１」である場合は、図２（Ｃ）のように全てのビットが振幅を有さない波形が得られる。
【００２５】
これに対し、伝送信号Ｐ２は原則としてグランド電位近傍に維持されており、送受信ブロック１５に入力された後に図３中の符号Ｐ３のように正負が反転されるものである。
【００２６】
ただし、これら両信号線Ｌ１，Ｌ２が、上述及び後述の通り、送受信ポートＰ，Ｎへの外部接続が誤って行われた場合には、両信号Ｐ１，Ｐ２は信号切換スイッチ１４の切換によって、互いに入れ換えられた正逆反対の極性として送受信ブロック１５に伝送されるようになっている。ここで、図３において伝送信号Ｐ１が例えば「０，０，０，０，０，０，０，０…」即ち「正，負，正，負，正，負，正，負…」である場合は、これが反転されて認識されると符号Ｐ４のように「負，正，負，正，負，正，負，正…」となって現れる。一方、伝送信号Ｐ２についてはこれが反転されずに符号Ｐ２のまま維持される。尚、各信号線Ｌ１，Ｌ２にはそれぞれ過電流防止用の抵抗Ｒ１，Ｒ２が接続されている。
【００２７】
信号切換スイッチ１４は、図１では等価回路としてアナログスイッチを示しているが、実際にはトランジスタ等を使用した論理回路内におけるスイッチ素子が使用される。なお、信号切換スイッチ１４と各信号線Ｌ１，Ｌ２との接続においては、図４の如く、信号切換スイッチ１４の送信ＡポートＰａ１と受信ＡポートＰａ２が第１の信号線Ｌ１に接続されるとともに、信号切換スイッチ１４の送信ＢポートＰｂ１と受信ＢポートＰｂ２が第２の信号線Ｌ２に接続されて、合計４ライン接続とされる。
【００２８】
送受信ブロック１５は、信号切換スイッチ１４の送信ＡポートＰａ１及び送信ＢポートＰｂ１のうち、この信号切換スイッチ１４により正極の端子として選択的に切り換えられたいずれか一方が接続される正極の送信Ａ端子Ｑａ１と、負極の端子として選択的に切り換えられた他方が接続される負極の送信Ｂ端子Ｑｂ１と、信号切換スイッチ１４の受信ＡポートＰａ２及び受信ＢポートＰｂ２のそれぞれが送受信ブロック１５に入力される受信Ａ端子Ｑａ２及び受信Ｂ端子Ｑｂ２とが形成されている。
【００２９】
ここで、送受信ブロック１５が負極の送信Ｂ端子Ｑｂ１に出力する信号はグランド電圧を基準として負極性側に反転された信号（反転信号）であり、また正極の送信Ａ端子Ｑａ１に出力する信号は反転されない（非反転信号である）。そして、例えば、図５（Ｂ）及び図７（Ｂ）のような波形で信号線Ｌ１，Ｌ２に送出する送信信号は、常に正極の送信Ａ端子Ｑａ１からいずれかの信号線Ｌ１，Ｌ２に送出される。また、負極の受信Ｂ端子Ｑｂ２から入力された信号は送受信ブロック１５内で反転信号として認識される一方、正極の受信Ａ端子Ｑａ２から入力される信号は非反転信号として送受信ブロック１５内で認識される。そして、受信ブロック１５の内部において、受信ＡポートＱａ２及び受信ＢポートＱｂ２の両入力に係る信号が重畳されて「合成パターン」として認識されるようになっている。
【００３０】
極性検出回路１０は、第１の信号線Ｌ１の電位が第２の信号線Ｌ２の電位より低いか否かを検出するためのものであって、両信号線Ｌ１，Ｌ２の間に接続された一対の発光ダイオードＰＨＤ１，ＰＨＤ２と、当該各発光ダイオードＰＨＤ１，ＰＨＤ２からの光をそれぞれ受信して受信結果をマイコン１１に伝達する一対のフォトトランジスタＰＨＴ１，ＰＨＴ２とから構成されている。そして、第１の発光ダイオードＰＨＤ１は、第１の信号線Ｌ１の電位が第２の信号線Ｌ２の電位より高い場合に発光し、逆に第２の発光ダイオードＰＨＤ２は、第２の信号線Ｌ２の電位が第１の信号線Ｌ１の電位より高い場合に発光するようになっている。
【００３１】
マイコン１１は、極性検出回路１０のフォトトランジスタＰＨＴ１，ＰＨＴ２からの信号により信号線Ｌ１，Ｌ２の極性判定を行う極性判定手段２１と、上記補助極性判定手段１１ａと、極性判定手段２１及び補助極性判定手段１１ａでの各判定結果に基づいて信号切換スイッチ１４の切り換えを行う切換制御手段２４とを有している。
【００３２】
極性判定手段２１は、具体的には、送受信ポートＰ，Ｎを通じて信号線Ｌ１，Ｌ２に伝送信号が入力された際に、これに基づいて駆動される両発光ダイオードＰＨＤ１，ＰＨＤ２の発光状態を各フォトトランジスタＰＨＴ１，ＰＨＴ２を通じて検出し、その検出結果に基づいて信号切換スイッチ１４のポート切換を行うことで、送受信ブロック１５に正しい極性の信号を入出力させるものである。
【００３３】
補助極性判定部１１ａは、外部から信号線Ｌ１，Ｌ２に与えられた受信信号同士を重畳して得られた合成パターンの各ビットが相殺されている場合には受信ポートＰ，Ｎに対して誤った接続がされていると判断する一方、相殺されていない場合は正常に接続されていると判断し、かかる判断結果に基づいて受信ポートＰ，Ｎから送受信ブロック１５への信号の授受を切換えるものであって、外部のリモコンから受信信号が与えられたときにこの受信信号に同期して任意の送信信号を送受信ブロック１５を通じて信号線Ｌ１，Ｌ２に送出する信号出力指示手段２２と、上記受信信号の受信及び送信信号の送出によって送受信ブロック１５で得られた合成パターンの振幅が所定の振幅レベル以上かどうかを検出する振幅レベル検出手段２３とを備える。
【００３４】
信号出力指示手段２２は、外部のリモコンから与えられた受信信号（図５（Ａ）に例示する）に同期して、任意の送信信号（図５（Ｂ）に例示する）を正極の送信Ａ端子Ｑａ１から出力するよう、送受信ブロック１５に指示を与えるものである。ここで、任意の送信信号（図５（Ｂ））の送信は１バイト（８ビット）を１単位として、上記受信信号（図５（Ａ））の各単位（１バイト）の受信とほぼ同じタイミングで行われる。そしてこの送信信号は、信号線Ｌ１，Ｌ２のうち信号切換スイッチ１４によって送受信ブロック１５の正極の送信Ａ端子Ｑａ１に接続された側の信号線に入力されることになる。
【００３５】
振幅レベル検出手段２３は、送受信ブロック１５に入力されて重畳された合成パターンを検出し、その各ビットの振幅値のレベルの大小を認識するもので、具体的には、信号出力指示手段２２から指示した送信信号のうち、「０」値のビットに相当するものとして合成パターン内に現れたビット（以下「判定ビット」と称す）の振幅を検出し、これが一定の振幅値（例えば２．５Ｖ：以下「基準振幅値」と称す）以上であれば、信号切換スイッチ１４の切換状態が送受信ポートＰ，Ｎの接続極性に対して「適合的」であると判断する一方、判定ビットの振幅値が基準振幅値未満であれば、信号切換スイッチ１４の切換状態が送受信ポートＰ，Ｎの接続極性に対して「不適合的」であると判断するものである。
【００３６】
切換制御手段２４は、極性判定手段２１によって判定された極性に応じて信号切換スイッチ１４の切換制御を行う（第１の切換制御機能）とともに、振幅レベル検出手段２３によって「不適合的」と判断された場合にも信号切換スイッチ１４の切換状態を変更するよう切換信号を出力する（第２の切換制御機能）ものである。ここで、第１の切換制御機能と第２の切換制御機能の切換は、一定の遅延時間だけずらして交互に行い、同時には行わないようになっている。そして、極性判定手段２１によって極性切換の必要があると判定されたこと（第１の事象）と、振幅レベル検出手段２３によって「不適合的」と判断されたこと（第２の事象）のいずれかの事象が発生するまでは、それ以前の信号切換スイッチ１４の状態を維持するものとなっている。また、切換制御手段２４において第１の切換制御機能が稼動しているときには、補助極性判定部１１ａの信号出力指示手段２２及び振幅レベル検出手段２３は停止するようになっている。
【００３７】
なお、図１中の符号２５は、信号線Ｌ１，Ｌ２及び送受信ポートＰ，Ｎを通じて外部のリモコンに電源としての１６Ｖの整流電流を供給する整流ブロックである。また、マイコン１１内の各要素２１〜２４は、ＲＯＭおよびＲＡＭ等が内蔵された一般的なＭＰＵ内において所定のソフトウェアプログラムによって動作する機能部品である。
【００３８】
＜極性検出回路１０が正常な場合の動作＞
上記構成の信号伝送装置の正常作動時の動作を説明する。信号伝送装置は、信号線Ｌ１，Ｌ２を通じて外部のリモコンからの受信信号を受信する。この場合、極性検出回路１０及び極性判定手段２１による極性判定と、補助極性判定部１１ａによる補助的極性判定とは、一定の遅延時間だけずらして交互に行われる。
【００３９】
例えば、まず第１の信号線Ｌ１にパルス状の伝送信号Ｐ１（図３）が受信された場合には、第２の信号線Ｌ２には、グランド電位近傍に維持された伝送信号Ｐ２（図３）が受信され、この場合には極性検出回路１０の第１の発光ダイオードＰＨＤ１のみが発光する。そして、極性検出回路１０において、第１のフォトトランジスタＰＨＴ１のみが第１の発光ダイオードＰＨＤ１からの光を検出し、これに基づいて、極性判定手段２１は第１の信号線Ｌ１が正極であると判断し、これに応じて信号切換スイッチ１４の切換制御を行う。
【００４０】
逆に、第２の信号線Ｌ２にパルス状の伝送信号Ｐ１（図３）が受信された場合には、第１の信号線Ｌ１には、グランド電位近傍に維持された伝送信号Ｐ２（図３）が受信され、この場合には極性検出回路１０の第２の発光ダイオードＰＨＤ２のみが発光する。そして、極性検出回路１０において、第２のフォトトランジスタＰＨＴ２のみが第２の発光ダイオードＰＨＤ２からの光を検出し、これに基づいて、マイコン１１内の極性判定手段２１は第２の信号線Ｌ２が正極である旨を判断し、これに応じて信号切換スイッチ１４の切換制御を行う。
【００４１】
このような極性検出回路１０及び極性判定手段２１による極性判定の後、補助極性判定部１１ａによる補助的な極性判定が行われる。ただし、極性検出回路１０の各要素ＰＨＤ１，ＰＨＤ２，ＰＨＴ１，ＰＨＴ２が正常な場合（故障でない場合）、補助極性判定部１１ａによる補助的な極性判定結果は極性検出回路１０及び極性判定手段２１による極性判定結果と一致するため、ここではその詳しい説明を省略する。尚、補助極性判定部１１ａの詳細な動作は後述する。
【００４２】
＜極性検出回路１０が故障した場合の動作＞
次に、極性検出回路１０の各要素ＰＨＤ１，ＰＨＤ２，ＰＨＴ１，ＰＨＴ２が故障をした場合の動作を説明する。尚ここでは、説明の簡便のため、全ての要素ＰＨＤ１，ＰＨＤ２，ＰＨＴ１，ＰＨＴ２が故障した場合について説明するが、一部のみの要素ＰＨＤ１，ＰＨＤ２，ＰＨＴ１，ＰＨＴ２が故障した場合も、補助極性判定部１１ａが同様の動作を行うことはいうまでもない。
【００４３】
この場合も、極性検出回路１０及び極性判定手段２１の判定動作と補助極性判定部１１ａによる判定動作とは交互に繰り返し行われる。ただし、ここでは、極性検出回路１０が故障しており、極性判定手段２１によっては信号線Ｌ１，Ｌ２の正負極性の判定が不可能な状態となっているため、極性判定手段２１での判定結果によって切換制御手段２４が信号切換スイッチ１４の切換制御を行うことはない。したがって、極性判定手段２１での判定タイミングの間は、信号切換スイッチ１４はそれ以前の状態に保持されたままとなる。
【００４４】
次に、補助極性判定部１１ａにより極性判定が行われる。
【００４５】
即ち、まず外部のリモコンから受信信号（図５（Ａ）に例示する）が送受信ポートＰ，Ｎを通じて信号線Ｌ１，Ｌ２に与えられる。この受信信号の受信と同時に、マイコン１１の任意の信号出力指示手段２２は、正極の送信Ａ端子Ｑａ１から任意の送信信号を出力するよう、送受信ブロック１５に指示を与える。
【００４６】
ここで、外部のリモコンとの接続において、正しい送受信ポートＰ，Ｎの外部接続が行われている場合、即ち、正側の送受信ポートＰ側に正極性の伝送路が、負側の送受信ポートＮに負極性の伝送路がそれぞれ接続がされており（以下「正接続状態」と称する）、且つ、信号切換スイッチ１４の切換状態が、「正接続状態」の極性に対して適合的な状態（以下「正切換状態」と称す）である場合には、第１の信号線Ｌ１には、外部のリモコンから送受信ポートＰを通じて与えられた受信信号（図５（Ａ））と、送受信ブロック１５の正極の送信Ａ端子Ｑａ１から信号切換スイッチ１４を通じて与えられた任意の送信信号（図５（Ｂ））とが重畳して認識されることになる。
【００４７】
尚、この受信信号（図５（Ａ））と任意の送信信号（図５（Ｂ））とは、必ずしも同一の波形とはならないが、第１の信号線Ｌ１においては、「０」値を示すパルス波形が必ず正負交互に現れることとなるため、このパルス波形に従って両信号が規則正しく重畳される。即ち、１単位の受信信号のデータが例えば「１，０，０，１，１，０，０，１」である場合は、図５（Ａ）のように「振幅無し，負，正，振幅無し，振幅無し，負，正，振幅無し」といった波形となり、正の振幅が現れるとすれば必ず奇数番目に現れ、負の振幅が現れるとすれば必ず偶数番目に現れる。また１単位の送信信号のデータが例えば「０，１，０，０，１，０，１，０」である場合は、図５（Ｂ）のように「正，振幅無し，正，負，振幅無し，負，振幅無し，負」といった波形となり、正の振幅が現れるとすれば必ず奇数番目に現れ、負の振幅が現れるとすれば必ず偶数番目に現れる。即ち、受信信号と送信信号との各ビットの符号配列は、正の方向と負の方向とで一致しており、これらを重畳したとしても、相殺されることはあり得ない。即ち、信号切換スイッチ１４の切換が極性に対して「適合的」である場合は、送信信号と受信信号とが重畳して合成パターンを形成する際、送受信ブロック１５からの送信信号中の有振幅のビットが相殺されることはない。図６は、この場合の合成パターンを示す図であり、図６中の（０）で示したビットは、図５（Ｂ）において送信信号中に含まれていた有振幅の「０」値のビットに対応している。
【００４８】
かかる第１の信号線Ｌ１中の合成パターンは、信号切換スイッチ１４を通じて送受信ブロック１５の受信Ａ端子Ｑａ２に入力される。尚、この場合、受信Ｂ端子Ｑｂ２には第２の信号線Ｌ２の電圧レベルが反転して入力されるが、第２の信号線Ｌ２においては、ほぼグランド電圧に等しい電圧として外部のリモコンから与えられた定電圧の状態が維持されており、図６に示した合成パターンに与える影響はほとんどない。
【００４９】
この図６のように、信号出力指示手段２２の指示により送受信ブロック１５から送出された送信信号において「０」値のビットに対応する合成パターン中のビットは、全て有振幅のビットとなって現れる。したがって、振幅レベル検出手段２３により、これらの合成パターン中のビットの振幅値を一定の基準振幅値Ｔｈと比較して、送信信号の「０」値に対応する全てのビット（図６中の（０）印）の振幅値が基準振幅値Ｔｈより大であることを確認できれば（図６中の◎印）、信号切換スイッチ１４の切換状態は信号線Ｌ１，Ｌ２の極性に対して「適合的」であると判断でき、故に信号切換スイッチ１４の切換状態はそのまま保持される。
【００５０】
次に、送受信ポートＰ，Ｎの外部接続が「正接続状態」であるにも拘わらず、信号切換スイッチ１４の切換状態が、「逆接続状態」の極性に対して適合的な状態（以下「逆切換状態」と称す）である場合を説明する。尚、この場合において外部のリモコンから受信される受信信号は図５（Ａ）に示したものであり、また送受信ブロック１５から送出される送信信号は図５（Ｂ）に示したものとする。
【００５１】
この場合には、第１の信号線Ｌ１には、図５（Ａ）に示した受信信号が受信され、第２の信号線Ｌ２には、ほぼグランド電圧に等しい電圧として外部のリモコンから与えられた定電圧の状態（図３中の符号Ｐ２）と、送受信ブロック１５からの送信信号が重畳されて現れる。
【００５２】
そして、信号切換スイッチ１４を通じて送受信ブロック１５の受信Ａ端子Ｑａ２及び受信Ｂ端子Ｑｂ２に入力される際には、第２の信号線Ｌ２の波形は非反転信号として図５（Ｂ）の波形がそのまま入力されて図７（Ｂ）のようになる。一方、第１の信号線Ｌ１の波形は反転されて図７（Ａ）のようになる。そして送受信ブロック１５の内部において、両者は互いに重畳されて図８のような合成パターンとなる。図８中の（０）で示したビットは、図５（Ｂ）において送信信号中に含まれていた有振幅の「０」値のビットに対応している。
【００５３】
ここで、図７（Ａ）においては、「１，０，０，１，１，０，０，１」の符号系列データである受信信号は、「振幅無し，正，負，振幅無し，振幅無し，正，負，振幅無し」といった波形となり、正の振幅が現れるとすれば必ず偶数番目に現れ、負の振幅が現れるとすれば必ず奇数番目に現れる。これは、図５（Ａ）の場合と正負が逆になっている。また「０，１，０，０，１，０，１，０」の符号系列データである送信信号（図７（Ｂ））は、図５（Ｂ）の場合と同様に「正，振幅無し，正，負，振幅無し，負，振幅無し，負」といった波形となり、正の振幅が現れるとすれば必ず奇数番目に現れ、負の振幅が現れるとすれば必ず偶数番目に現れる。即ち、受信信号と送信信号との各ビットの符号配列は、正の方向と負の方向とで逆向きになっており、これらを重畳したとすれば、たまたま送信信号と受信信号の両方が「０」値をとったときに、そのタイミングで当該ビットが相殺されることになる。即ち、信号切換スイッチ１４の切換が極性に対して「適合的でない」場合は、送信信号と受信信号とを重畳して合成パターンを形成する際、図８中の×印（相殺ビット）のように、送受信ブロック１５からの送信信号中のいくつかの有振幅のビットが相殺される。
【００５４】
また、外部のリモコンとの接続において、正接続状態とは反対に送受信ポートＰ，Ｎの外部接続がなされている状態（以下「逆接続状態」という：即ち、この場合は正側の送受信ポートＰ側に負極性の伝送路が、負側の送受信ポートＮに正極性の伝送路がそれ接続された状態）にも拘わらず、信号切換スイッチ１４の切換状態が「正切換状態」（即ち、信号切換スイッチ１４の切換状態が、逆接続状態に対して非適合的である状態）である場合には、第１の信号線Ｌ１には、ほぼグランド電圧に等しい電圧として外部のリモコンから与えられた定電圧の状態と、送受信ブロック１５の正極の送信Ａ端子Ｑａ１から信号切換スイッチ１４を通じて与えられた任意の送信信号とが重畳して、図７（Ｂ）のような波形の信号が現れる。また、第２の信号線Ｌ２においては、外部のリモコンから与えられた図５（Ａ）と同様な受信信号がそのまま現れる。そして、各信号線Ｌ１，Ｌ２の信号が信号切換スイッチ１４を通じて送受信ブロック１５の受信Ａ端子Ｑａ２及び受信Ｂ端子Ｑｂ２にそれぞれ入力される際には、第１の信号線Ｌ１の波形は非反転信号として図７（Ａ）の波形のまま維持されるが、第２の信号線Ｌ２の波形は反転されて図７（Ｂ）のようになり、両者は送受信ブロック１５の内部で互いに重畳された合成パターンとして認識される。このとき、第１の信号線Ｌ１から非反転で入力された図７（Ａ）の波形と、第２の信号線Ｌ２から反転されて入力された図７（Ｂ）の波形の各ビットの符号配列は、正の方向と負の方向とで逆向きになっており、これらを重畳したとすれば、いくつかのビットが相殺されることになる。即ち、信号切換スイッチ１４の切換が極性に対して「適合的でない」場合は、送信信号と受信信号とを重畳して合成パターンを形成する際、図８中の×印のように、送受信ブロック１５からの送信信号中のいくつかの有振幅のビットが相殺される。
【００５５】
さらに、送受信ポートＰ，Ｎの外部接続が「逆接続状態」であり、且つ、信号切換スイッチ１４の切換状態が「逆切換状態」である場合には、第１の信号線Ｌ１は、ほぼグランド電圧に等しい電圧として外部のリモコンから与えられた定電圧の状態となる。また、第２の信号線Ｌ２には、外部のリモコンから送受信ポートＰを通じて与えられた受信信号（図５（Ａ））と、送受信ブロック１５の正極の送信Ａ端子Ｑａ１から信号切換スイッチ１４を通じて与えられた任意の送信信号（図５（Ｂ））とが重畳して入力されることになる。かかる第２の信号線Ｌ２中の合成パターンは、図６のように、振幅の大きな波形となって現れ、信号切換スイッチ１４を通じて非反転入力信号として送受信ブロック１５の受信Ａ端子Ｑａ２に入力される。また、受信Ｂ端子Ｑｂ２には、併せて第１の信号線Ｌ１の電圧レベルも反転して入力される。第１の信号線Ｌ１においては、ほぼグランド電圧に等しい電圧となる。
【００５６】
これらの対応関係を図９に示す。図９の如く、送受信ポートＰ，Ｎが正接続状態とされ且つ信号切換スイッチ１４が正切換状態のときと、送受信ポートＰ，Ｎが逆接続状態とされ且つ信号切換スイッチ１４が逆切換状態のとき、即ち信号切換スイッチ１４の切換状態が送受信ポートＰ，Ｎの接続状態に適合的な状態である場合には、合成パターン内に相殺ビットがないことになる。これに対して、送受信ポートＰ，Ｎが正接続状態とされているにも拘わらず信号切換スイッチ１４が逆切換状態のときと、送受信ポートＰ，Ｎが逆接続状態とされているにも拘わらず信号切換スイッチ１４が正切換状態のとき、即ち信号切換スイッチ１４の切換状態が送受信ポートＰ，Ｎの接続状態に非適合的な状態である場合には、合成パターン内に相殺ビットが有ることになる。
【００５７】
したがって、振幅レベル検出手段２３において、送信信号中の有振幅の「０」値のビットに対応する合成パターンのビットのなかに、１個でも相殺ビット（図８中の×印）があれば、信号切換スイッチ１４の信号線Ｌ１，Ｌ２に対する極性対応関係が逆であることを判断できたことになり、切換制御手段２４により信号切換スイッチ１４を現状から逆側ら切り換える。以後、この信号伝送装置を通じて室内機とリモコンとの間で伝送信号の伝送を行って、所定の制御動作を行えばよい。
【００５８】
尚、上記した補助極性判定部１１ａの動作において、送信信号が「０」値を含んでいない場合は、合成パターンが相殺されたかどうかを検出することができないが、送信信号が永久に「１」値しか送信しないといった事態はあり得ず、ほぼ一定の頻度で「０」値を出力するため、この任意のパターンの送信信号中にたまたま出現した「０」値について、これが合成パターンにおいて相殺されるかどうかを判定しつづけ、外部からの受信信号中の「０」値とたまたま同期したときに、切換制御手段２４を通じて信号切換スイッチ１４の切換を行うようにすればよい。
【００５９】
以上のように、この実施の形態に係る信号伝送装置では、極性検出回路１０がとは別に、外部からの受信信号と送受信ブロック１５から送出した任意の送信信号とを照合して、合成パターンのうち相殺ビットがあるかどうかを検出するだけで、送受信ポートＰ，Ｎの接続状態に対する信号切換スイッチ１４の切換状態が適合的か否かを容易に判断できるので、極性検出回路１０が故障したときでも、容易に信号切換スイッチ１４の適合性を判断して自動的に切換制御を行うことができる。
【００６０】
尚、上記実施の形態においては、室内機内に設置されてリモコンとの伝送信号の送受信を行うためのものとして信号伝送装置を説明したが、その他、室内機内に設置されて室外機との伝送信号の送受信を行うためのものや、あるいは、室外機内に設置されて室内機との伝送信号の送受信を行うためのもの等に適用してもよい。特に、複数の室内機が単一または複数の室外機に所定のネットワークを通じて接続される場合においてこれらの室外機と室内機との間の信号伝送に適用するのが有効である。
【００６１】
【発明の効果】
請求項１乃至請求項７に記載の発明によれば、まず、原則として、受信信号が有振幅のビットを含む場合に、当該受信信号の所定の単位内において前記有振幅のビットを示すパルス波形が正負交互のタイミングで現れるようにし、外部から伝送線を通じて第１の信号線及び第２の信号線に受信信号が与えられたときに、第１の信号線の電位と第２の信号線の電位の高低を所定の極性検出回路で比較して両信号線の極性を検出し、検出された極性に応じて信号切換スイッチを切換駆動して、第１の信号線及び第２の信号線の送受信手段に対する反転及び非反転の関係を相互に変更切換えするとともに、次いで、外部から伝送線を通じて第１の信号線及び第２の信号線のいずれかに所定の受信信号が与えられたときに、信号切換スイッチにより反転せずに接続されている側の一方の信号線へ、有振幅のビットを含み且つ前記受信信号と同一の単位内に前記有振幅のビットを示すパルス波形が正負交互のタイミングで現れるよう設定された任意の送信信号を、前記受信信号の各単位の受信に対応するタイミングで与え、また、これと並行して、反転せずに接続されている側の一方の信号線の信号と反転して接続されている他方の信号線の信号とを重畳して合成パターンとし、当該合成パターンの各ビットの振幅値を認識し、合成パターンの各ビットの振幅値を認識した結果に基づいて、合成パターン中のビットのなかに相殺されたビットがあるかどうかを検出して、相殺されたビットがない場合に、信号切換スイッチの第１の信号線及び第２の信号線の送受信手段に対する反転及び非反転の関係を維持する一方、合成パターン中のビットのなかに相殺されたビットが有る場合には、信号切換スイッチに第１の信号線及び第２の信号線の送受信手段に対する反転及び非反転の関係を相互に変更切換えするようになっているので、極性検出回路が故障しても、支障無く極性判定を行うことができ、この判定結果にしたがって信号切換スイッチの切換を容易に行うことができるという効果がある。
【００６２】
かかる発明は、請求項４乃至請求項６のように、空気調和機の室内機、室外機及び遠隔操作のための操作部との間の伝送に有効である。
【図面の簡単な説明】
【図１】この発明の一の実施の形態に係る信号伝送装置を示すブロック図である。
【図２】この発明の一の実施の形態における信号波形を示す図である。
【図３】この発明の一の実施の形態における信号波形を示す図である。
【図４】この発明の一の実施の形態における接続関係を示すブロック図である。
【図５】この発明の一の実施の形態における送受信ブロックの受信端子に与えられる信号の合成前の状態を示す波形図である。
【図６】この発明の一の実施の形態における送受信ブロックの受信端子に与えられる信号の合成後の状態を示す波形図である。
【図７】この発明の一の実施の形態における送受信ブロックの受信端子に与えられる信号の合成前の状態を示す波形図である。
【図８】この発明の一の実施の形態における送受信ブロックの受信端子に与えられる信号の合成後の状態を示す波形図である。
【図９】この発明の一の実施の形態の動作を示す図である。
【図１０】従来の信号伝送装置を示すブロック図である。
【符号の説明】
１０  極性判定回路、１１  マイコン、１４  信号切換スイッチ、１５  送受信ブロック、２１  極性判定手段、２２  信号出力指示手段、２３  振幅レベル検出手段、２４  切換制御手段、Ｐ，Ｎ  送受信ポート、Ｌ１  第１の信号線、Ｌ２  第２の信号線、ＰＨＤ１，ＰＨＤ２  発光ダイオード、ＰＨＴ１，ＰＨＴ２  フォトトランジスタ
【図１】
0003543625.tif 000002
【図２】
0003543625.tif 000003
【図３】
0003543625.tif 000004
【図４】
0003543625.tif 000005
【図５】
0003543625.tif 000006
【図６】
0003543625.tif 000007
【図７】
0003543625.tif 000008
【図８】
0003543625.tif 000009
【図９】
0003543625.tif 000010
【図１０】
0003543625.tif 000011